(57)【特許請求の範囲】
【請求項１】
天井板の開口部に装着される外枠体と、
前記外枠体の開口部に対し一方向に長い一対の開閉用アームによって開閉可能に組み付けられる内枠体と、
前記外枠体と前記内枠体との間に跨って係脱可能に配設され同内枠体を閉じ状態に閉止する閉止手段と、を備えた天井点検口であって、
前記外枠体は、その外枠部の断面において、前記天井板の開口部の内周面に沿う外下壁部と、その外下壁部から内側に向けて張り出された上段差部と、その段差部から上方に向けて設けられた外上壁部とを有する一方、
前記内枠体は、その内枠部の断面において、前記外下壁部の内周面に沿う内下壁部と、その内下壁部から前記上段差部の下面に沿って張り出された中段差部と、前記外上壁部の内周面に沿いかつ前記中段差部から上方に向けて設けられた内上壁部とを有し、
前記外下壁部から張り出された上段差部の張り出し寸法に対し、前記内下壁部から張り出された中段差部の張り出し寸法が大きく設定され、これによって前記外上壁部と前記内上壁部との間に構成された隙間内おいて前記開閉用アームが配設されている天井点検口。
【請求項２】
請求項１に記載の天井点検口であって、
外枠体の上段差部と内枠体の中段差部との間には気密性を有するシール部材が設けられている天井点検口。
【請求項３】
請求項１又は２に記載の天井点検口であって、
外枠体には、その外下壁部の下端部において天井板の開口部の下端縁に向けて張り出す係合縁が形成される一方、
内枠体には、その内下壁部の下端部において、前記係合縁を覆う張出覆い縁が形成されている天井点検口。
【請求項４】
請求項３に記載の天井点検口であって、
外枠体の係合縁と、内枠体の張出覆い縁との間には気密性を有するシール部材が設けられている天井点検口。
【請求項５】
請求項１〜４のいずれか一項に記載の天井点検口であって、
開閉用アームの長手方向の一端部は、内枠体のコーナ部に接近する側において、同内枠体の内上壁部側に回動軸を中心として回動可能に装着され、
前記開閉用アームの他端部には、前記内枠体のコーナ部から離反する側において、外枠体の外上壁部側に配設された開口部を有する受止め部に挿脱可能に差し込まれる連結軸が組み付けられている天井点検口。
【請求項６】
請求項５に記載の天井点検口であって、
外枠体の外上壁部に対し、開閉用アームの連結軸が挿脱可能に差し込まれる開口部を有する受止め部が形成されている天井点検口。
【請求項７】
請求項５に記載の天井点検口であって、
外枠体の外上壁部の内側には受止め部材が装着され、その受止め部材には、開閉用アームの連結軸が挿脱可能に差し込まれる開口部を有する受止め部を構成する切り欠き状の受止め溝が形成されている天井点検口。
【請求項８】
請求項５、又は６、又は７のいずれか一項に記載の天井点検口であって、
受止め部は、外枠体の下端部開口縁と、開閉用アームの連結軸の中心とを結ぶ線のほぼ延長線上に設けられ、
前記外枠体に対し内枠体が閉止された状態にあるとき、前記開閉用アームの回動軸の中心と前記外枠体の下端部開口縁との距離をＬ１とし、前記開閉用アームの連結軸と回動軸との中心間距離をＬ２とする一方、
前記外枠体に対し内枠体を開放する際に前記受止め部に沿って移動する前記連結軸の中心と前記外枠体の下端部開口縁までの距離をＬとしたときに、
Ｌ≧Ｌ１＋Ｌ２の関係が確保できるように、前記受止め部の長さが設定されている天井点検口。
【請求項９】
請求項５、又は６、又は７、又は８のいずれか一項に記載の天井点検口であって、
外枠体の外上壁部には、受止め部の開口部から開閉用アームの連結軸が抜け出ることを防止するための弾性体よりなる抜止部材が設けられ、
前記抜止部材は、その弾性変形によって前記開閉用アームの連結軸を抜け出しを許容する構成にしてある天井点検口。
【請求項１０】
請求項１〜９のいずれか一項に記載の天井点検口であって、
外上壁部と内上壁部との間の隙間内おいて開閉用アームがほぼ水平状態で配設されている天井点検口。
【請求項１１】
請求項１〜１０のいずれか一項に記載の天井点検口であって、
外枠体は、その外枠部が縦横の各外枠材によって形成されるとともに、これら縦横の各外枠材が外枠コ−ナ具によって矩形に枠組みされることによって構成され、
内枠体は、その内枠部が縦横の各内枠材によって形成されるとともに、これら縦横の各内枠材が内枠コ−ナ具によって矩形に枠組みされることによって構成されている天井点検口。
【請求項１２】
請求項１１に記載の天井点検口であって、
内枠体の内上壁部の外側には、外向きに開口する嵌込み溝が凹設され、
内枠コ−ナ具は直角状をなす翼片を有し、これら翼片が前記隣接する内枠材の嵌込み溝にそれぞれ差し込まれて固定されることによって内枠体が枠組され、
前記内枠コ−ナ具の一方の翼片に対し開閉用アームの長手方向の一端部が回動軸によって回動可能に装着されている天井点検口。
【請求項１３】
請求項１１に記載の天井点検口であって、
隣接する内枠材の内上壁部のコーナ部近傍には、外側に向けてコーナ係合片がそれぞれ切り起し状に形成され、
内枠コ−ナ具は直角状をなしかつ前記各コーナ係合片に対応するスリット状の係合溝がそれぞれ設けられた翼片を有し、これら翼片が、その係合溝において前記コーナ係合片の上方から差し込まれて固定されることによって内枠体が枠組される一方、
前記隣接する内枠材のうち、一方の内枠材の内上壁部のコーナ部寄り外側面には、開閉用アームの長手方向の一端部を回動軸によって回動可能に装着するための座部が突設されている天井点検口。
【発明の詳細な説明】
【０００１】
【発明の属する技術分野】
この発明は、建築物、船舶、地下通路等の構築物の天井裏に配設された各種の配線・配管等を保守・点検するために天井板に開口された開口部に装着される天井点検口に関する。
【０００２】
【従来の技術】
従来、天井板に開口された開口部に装着される外枠体と、その外枠体の開口部に対し、一方向に長い一対の開閉用アームによって開閉可能に組み付けられる内枠体と、外枠体と内枠体との間に跨って係脱可能に配設され同内枠体を閉じ状態に閉止する閉止手段と、を備えた構造の天井点検口が知られている。
また、この種の天井点検口には、例えば、特開２０００−６４５８６号公報等に開示されている。
【０００３】
【発明が解決しようとする課題】
ところで、外枠体の外枠部と内枠体の内枠部との間に一方向に長い一対の開閉用アームを配置するためのスペースを確保するために、外枠部と内枠部との間の隙間を所定値以上に大きくする必要がある。そして、外枠部と内枠部との間に設けられた隙間に相当する分だけ外枠体に対し内枠体が水平方向にガタツキやすくなるという問題点があった。
【０００４】
この発明の目的は、前記従来の問題点に鑑み、外枠体に対する内枠体の水平方向のガタツキを防止しながら、外枠体と内枠体との間に開閉用アームを配設するためのスペースを容易に確保することができる天井点検口を提供することである。
【０００５】
【課題を解決するための手段】
前記目的を達成するために、請求項１の発明に係る天井点検口は、天井板の開口部に装着される外枠体と、前記外枠体の開口部に対し一方向に長い一対の開閉用アームによって開閉可能に組み付けられる内枠体と、前記外枠体と前記内枠体との間に跨って係脱可能に配設され同内枠体を閉じ状態に閉止する閉止手段と、を備えた天井点検口であって、前記外枠体は、その外枠部の断面において、前記天井板の開口部の内周面に沿う外下壁部と、その外下壁部から内側に向けて張り出された上段差部と、その段差部から上方に向けて設けられた外上壁部とを有する一方、前記内枠体は、その内枠部の断面において、前記外下壁部の内周面に沿う内下壁部と、その内下壁部から前記上段差部の下面に沿って張り出された中段差部と、前記外上壁部の内周面に沿いかつ前記中段差部から上方に向けて設けられた内上壁部とを有し、前記外下壁部から張り出された上段差部の張り出し寸法に対し、前記内下壁部から張り出された中段差部の張り出し寸法が大きく設定され、これによって前記外上壁部と前記内上壁部との間に構成された隙間内おいて前記開閉用アームが配設されている。
したがって、外枠体に対し内枠体を開放する場合、閉止手段による係合を外した状態で、外枠体に対し内枠体が開閉用アームを介して開放される。
また、外枠体と内枠体において、外枠体の外下壁部から内側に向けて張り出された上段差部の張り出し寸法に対し、内枠体の内下壁部から内側に向けて張り出された中段差部の張り出し寸法が適宜に大きく設定されている。これによって、外枠体の外下壁部と内枠体の内下壁部との間の隙間は可及的に小さく設定しながら、外枠体の外上壁部と内枠体の内上壁部との間には、一対の開閉用アームを配設するための隙間を容易に確保することができる。
さらに、外下壁部と内下壁部との間の隙間を小さくした分だけ外枠体に対する内枠体の水平方向のガタツキを軽減することができる。
また、外枠体は、その外枠部が、外下壁部、上段差部及び外上壁部を備えているため、変形し難くかつ強固となる。また、内枠体においても、その内枠部が、内下壁部、中段差部及び内上壁部を備えているため、変形し難くかつ強固となる。このように、外枠体及び内枠体の強度を高めて耐久性の向上を図ることができる。
【０００６】
また、請求項２の発明に係る天井点検口は、請求項１に記載の天井点検口であって、外枠体の上段差部と内枠体の中段差部との間には気密性を有するシール部材が設けられている。
したがって、外枠体の上段差部と内枠体の中段差部との間の隙間を気密性を有するシール部材によって塞ぐことで気密を保つことができる。
【０００７】
請求項３の発明に係る天井点検口は、請求項１又は２に記載の天井点検口であって、外枠体には、その外下壁部の下端部において天井板の開口部の下端縁に向けて張り出す係合縁が形成される一方、内枠体には、その内下壁部の下端部において、前記係合縁を覆う張出覆い縁が形成されている。
したがって、外枠体に対し内枠体が閉じられた状態において、内枠体の張出覆い縁によって、外枠体の係合縁を覆って隠蔽することができ、外観意匠が向上する。
【０００８】
請求項４の発明に係る天井点検口は、請求項３に記載の天井点検口であって、外枠体の係合縁と、内枠体の張出覆い縁との間には気密性を有するシール部材が設けられている。
したがって、外枠体の係合縁と、内枠体の張出覆い縁との間の隙間を気密性を有するシール部材によって塞ぐことで気密を保つことができる。
【０００９】
請求項５の発明に係る天井点検口は、請求項１〜４のいずれか一項に記載の天井点検口であって、開閉用アームの長手方向の一端部は、内枠体のコーナ部に接近する側において、同内枠体の内上壁部側に回動軸を中心として回動可能に装着され、前記開閉用アームの他端部には、前記内枠体のコーナ部から離反する側において、外枠体の外上壁部側に配設された開口部を有する受止め部に挿脱可能に差し込まれる連結軸が組み付けられている。
したがって、外枠体に対し内枠体を開放する際、内枠体は、その自重に基づいて、開閉用アームの回動軸を支点として下向きに回動する一方、開閉用アームは、その連結軸が外枠体の受止め部に沿って移動しながら、その連結軸を支点として下向きに回動する。これによって、外枠体に対し内枠体を円滑に開放することができる。
【００１０】
請求項６の発明に係る天井点検口は、請求項５に記載の天井点検口であって、外枠体の外上壁部に対し、開閉用アームの連結軸が挿脱可能に差し込まれる開口部を有する受止め部が切り欠き状の受止め溝によって形成されている。
したがって、外枠体の外上壁部に対し切り欠き状の受止め溝を形成することによって、開閉用アームの連結軸が挿脱可能が開口部を有する受止め部を容易に構成することができる。
【００１１】
請求項７の発明に係る天井点検口は、請求項５に記載の天井点検口であって、外枠体の外上壁部の内側には受止め部材が装着され、その受止め部材には、開閉用アームの連結軸が挿脱可能に差し込まれる開口部を有する受止め部を構成する切り欠き状の受止め溝が形成されている。
したがって、受止め部材に受止め部を構成する切り欠き状の受止め溝を形成することによって、外枠体の外上壁部に直接的に受止め溝を形成する場合と異なり、外上壁部の強度が低下する不具合を防止することができるとともに、受止め溝の加工も容易となる。
【００１２】
請求項８の発明に係る天井点検口は、請求項５、又は６、又は７のいずれか一項に記載の天井点検口であって、受止め部は、外枠体の下端部開口縁と、開閉用アームの連結軸の中心とを結ぶ線のほぼ延長線上に設けられ、前記外枠体に対し内枠体が閉止された状態にあるとき、前記開閉用アームの回動軸の中心と前記外枠体の下端部開口縁との距離をＬ１とし、前記開閉用アームの連結軸と回動軸との中心間距離をＬ２とする一方、前記外枠体に対し内枠体を開放する際に前記受止め部に沿って移動する前記連結軸の中心と前記外枠体の下端部開口縁までの距離をＬとしたときに、Ｌ≧Ｌ１＋Ｌ２の関係が確保できるように、前記受止め部の長さが設定されている。
したがって、外枠体に対し内枠体が開放される際、開閉用アームの連結軸が受止め部に沿って不足なく移動することができ、外枠体に対し内枠体を円滑に開放することができる。
【００１３】
請求項９の発明に係る天井点検口は、請求項５、又は６、又は７、又は８のいずれか一項に記載の天井点検口であって、外枠体の外上壁部には、受止め部の開口部から開閉用アームの連結軸が抜け出ることを防止するための弾性体よりなる抜止部材が設けられ、前記抜止部材は、その弾性変形によって前記開閉用アームの連結軸を抜け出しを許容する構成にしてある。
したがって、外枠体に対する内枠体の開閉動作時に開閉用アームの連結軸が受止め部の開口部から不測に抜け出ることを防止することができ、外枠体に対し内枠体が離脱・落下する不具合を防止することができる。
【００１４】
請求項１０の発明に係る天井点検口は、請求項１〜９のいずれか一項に記載の天井点検口であって、外上壁部と内上壁部との間の隙間内おいて開閉用アームがほぼ水平状態で配設されている。
したがって、外上壁部と内上壁部との高さ寸法をそれぞれ小さくすることが可能となり、その分だけ天井点検口の小型・軽量化を図ることが可能となる。
【００１５】
請求項１１の発明に係る天井点検口は、請求項１〜１０のいずれか一項に記載の天井点検口であって、外枠体は、その外枠部が縦横の各外枠材によって形成されるとともに、これら縦横の各外枠材が外枠コ−ナ具によって矩形に枠組みされることによって構成され、内枠体は、その内枠部が縦横の各内枠材によって形成されるとともに、これら縦横の各内枠材が内枠コ−ナ具によって矩形に枠組みされることによって構成されている。
したがって、縦横の各外枠材が外枠コ−ナ具によって矩形に枠組みされることによって外枠体が容易に構成される。
また、縦横の各内枠材が内枠コ−ナ具によって矩形に枠組みされることによって内枠体が容易に構成される。
【００１６】
請求項１２の発明に係る天井点検口は、請求項１１に記載の天井点検口であって、内枠体の内上壁部の外側には、外向きに開口する嵌込み溝が凹設され、内枠コ−ナ具は直角状をなす翼片を有し、これら翼片が前記隣接する内枠材の嵌込み溝にそれぞれ差し込まれて固定されることによって内枠体が枠組され、前記内枠コ−ナ具の一方の翼片に対し開閉用アームの長手方向の一端部が回動軸によって回動可能に装着されている。
したがって、内枠コ−ナ具の一方の翼片に対し、回動軸によって開閉用アームの一端部が装着され、同開閉用アームの他端部の連結軸が外枠体の受止め部に挿入されて組み付けられる。このため、外枠体の外上壁部と内枠体の内上壁部との間の隙間内に対する、一対の開閉用アームの組付性の向上を図ることができる。
【００１７】
請求項１３の発明に係る天井点検口は、請求項１１に記載の天井点検口であって、隣接する内枠材の内上壁部のコーナ部近傍には、外側に向けてコーナ係合片がそれぞれ切り起し状に形成され、内枠コ−ナ具は直角状をなしかつ前記各コーナ係合片に対応するスリット状の係合溝がそれぞれ設けられた翼片を有し、これら翼片が、その係合溝において前記コーナ係合片の上方から差し込まれて固定されることによって内枠体が枠組される一方、前記隣接する内枠材のうち、一方の内枠材の内上壁部のコーナ部寄り外側面には、開閉用アームの長手方向の一端部を回動軸によって回動可能に装着するための座部が突設されている。
したがって、隣接する内枠材の内上壁部の各コーナ係合片の上方から内枠コ−ナ具の翼片を、その係合溝において差し込んで固定することによって内枠体を矩形に枠組することができ、内枠体の枠組み作業が容易となる。
また、内上壁部のコーナ部寄り外側面に突設されている座部に対し開閉用アームの長手方向の一端部を回動軸によって回動可能に装着することができる。
【００１８】
【発明の実施の形態】
（実施の形態１）
この発明の実施の形態１を図１〜図１４にしたがって説明する。
天井点検口を平面で表した図７、及び図７のＩＩＩ−ＩＩＩ線に基づく断面で表した図３において、天井板１に開口された開口部２に装着される天井点検口３０は、外枠体３１と、その外枠体３１の開口部に対し開閉用アーム９０によって開閉可能に装着された内枠体５１と、外枠体３１と内枠体５１の間に跨って配設され内枠体５１を閉じ状態に閉止する閉止手段をなす下止め部材１１０及び施錠部材１２０とを備えている。
なお、説明の便宜上、天井板１の開口部２の中心側を内、反対側を外として説明する。また、図５に示すように、天井板１の上方（奥側）には、その開口部２の近傍において野縁３が配設され、その野縁３上には断面チャンネル状の取付用受け部材４が配設されている。
【００１９】
図１、図２、及び図７に示すように、外枠体３１は、その外枠部をなす縦横の各外枠材３２によって矩形に枠組み構成されている。これら縦横の各外枠材３２は、アルミ合金等の軽合金の押出型材や、ステンレス鋼板等の金属板の折曲げ加工材等によって略同一の横断面形状に形成されている。
そして、各外枠材３２は、天井板１の開口部２の内周面に沿って略平行する外下壁部３３と、その外下壁部３３の上端から内側に向けて若干張り出された上段差部３４と、その上段差部３４の張り出し端部から上方に向けて垂直状に設けられた外上壁部３５と、外下壁部３３の下端から天井板１の下面に向けて張り出された係合縁３８とを備えて断面略Ｗ字状に形成されている。
【００２０】
また、各外枠材３２の外上壁部３５の内側の下端部から上端部にわたって蟻溝状をなす嵌込み溝３７が内側に開口して形成されている。この嵌込み溝３７の上下の開口縁には開口突縁３９がそれぞれ形成されている。
図２に示すように、各外枠材３２の長手方向の両端面は、４５度の角度をもって切断されている。そして、各外枠材３２の端部の突き合わせコーナ部において、相互の嵌込み溝３７に跨って外枠コ−ナ具４０が差し込まれながら、隣接する外枠材３２の端部が９０度の角度をもって突き合わされ、その外枠コ−ナ具４０によって結合されることで、矩形状に枠組み保持された外枠体３１が構成される。
【００２１】
すなわち、図８と図９に示すように、前記外枠コ−ナ具４０は、隣接する外枠材３２のコーナ部において、その相互の嵌込み溝３７に差し込まれる翼片４１を直角状に備え、これら各翼片４１の上下部には、切り欠き状の係合部４２が形成されている。
そして、各外枠材３２の端部がなす４つのコーナ部において、それぞれ外枠コ−ナ具４０の各翼片４１が各外枠材３２の嵌込み溝３７に差し込まれる。その後、各外枠材３２の嵌込み溝３７の開口突縁３９の一部３９ａが、各翼片４１の係合部４２に向けてかしめられることで、各外枠材３２がなす４つのコーナ部が外枠コ−ナ具４０によってそれぞれ結合され、これによって外枠体３１が矩形に枠組み構成される。
【００２２】
図５に示すように、外枠体３１は、前記天井板１の下方からその開口部２に嵌込まれ、前記取付用受け部材４に対し支持手段１０によって取り付けられる。
外枠体３１を枠組み構成している縦横の各外枠材３２のうち、一方で対向する両外枠材３２（この実施の形態１では図３に向かって左右に位置する両外枠材３２）の外上壁部３５には、図５に示すように、支持手段１０に対する所要数の角孔状の取付孔３５ａが貫設されている。
支持手段１０は、取付孔３５ａの数に対応する数の吊下部材１１と支持ボルト１５とを備えている。吊下部材１１は、上下方向の吊下片１２と、その吊下片１２の上端から直角状に折り曲げられた支持片１４とを有して略逆Ｌ字状をなしている。そして、吊下片１２には、外上壁部３５の取付孔３５ａに差し込まれて係合する係止爪１３が上向き傾斜状をなして切り起こし状に形成されている。
また、吊下部材１１の支持片１４にはネジ孔が貫設され、そのネジ孔には支持ボルト１５が上下方向に進退可能に螺合されている。
【００２３】
すなわち、天井板１の開口部２に外枠体３１が嵌込まれると共に、吊下部材１１の係止爪１３が外枠体３１の外上壁部３５の取付孔３５ａに差し込まれて係合される。さらに、取付用受け部材４上に支持ボルト１５が、その下端において設置される。この状態において、支持ボルト１５がねじ込まれることで、外枠体３１の係合縁３８が天井板１の下面に当接する位置まで吊り上げられる。これによって、天井板１の開口部２に対し外枠体３１が支持手段１０によって吊り下げ保持されるようになっている。
なお、吊下部材１１を安定よく支持するために、嵌込み溝３７の上の開口突縁３９に対し吊下部材１１の吊下片１２の一部が段差に形成されて係合している。
【００２４】
図３と図７に示すように、前記外枠体３１の枠開口部には、一方向に長い一対の開閉用アーム９０によって内枠体５１が開閉及び着脱可能に組み付けられ、かつ閉止手段としての下止め部材１１０及び施錠部材１２０によって閉じ状態に保持されている。
図１と図２に示すように、内枠体５１は、その内枠部をなす縦横の各内枠材５２によって矩形に枠組みされて構成されている。縦横の各内枠材５２は、アルミ合金等の軽合金の押出型材やステンレス鋼板等の金属板の折曲げ加工材等によって略同一の断面形状に形成されている。
【００２５】
前記各内枠材５２は、外枠体３１の外下壁部３３の内側に所定の隙間をもって略平行する内下壁部５３と、その内下壁部５３の上端から外枠体３１の上段差部３４の下面に沿って所定の隙間を隔てて張り出された中段差部５４と、外上壁部３５の内側に所定の隙間をもって略平行しかつ中段差部５４の張り出し端から上方に向けて垂直状に設けられた内上壁部５５と、内下壁部５３の下端から外枠体３１の係合縁３８を覆うようにして張り出された張出覆い縁５８とを備えて断面略Ｗ字状に形成されている。
そして、内枠体５１の張出覆い縁５８によって外枠体３１の外下壁部３３と内枠体５１の内下壁部５３との間の隙間が塞がれるようになっている。
【００２６】
前記各内枠材５２の内上壁部５５の外側の下端部から上端部にわたって蟻溝状をなす嵌込み溝５７が外側に開口して形成されている。この嵌込み溝５７の上下の開口縁には開口突縁５９がそれぞれ形成されている。
図２に示すように、各内枠材５２の両端面は４５度の角度をもって切断され、これら各内枠材５２の端部の突き合わせコーナ部において、相互の嵌込み溝５７に跨って内枠コ−ナ具７０が差し込まれながら、隣接する内枠材５２が９０度の角度をもって突き合わされ、その内枠コ−ナ具７０によって結合されることで、矩形に枠組みされた内枠体５１が構成される。
【００２７】
すなわち、図１０と図１１に示すように、内枠コ−ナ具７０は、翼片７１を直角状に備え、これら各翼片７１の上下部には、切り欠き状の係合部７２がそれぞれ形成されている。
そして、各内枠材５２の端部がなす４つのコーナ部において、それぞれ内枠コ−ナ具７０の各翼片７１が各内枠材５２の嵌込み溝５７に差し込まれ、その嵌込み溝５７の開口突縁５９の一部５９ａが係合部７２に向けてかしめられることで、内枠体５１が矩形に枠組み構成される。
また、この実施の形態１において、４つの内枠コ−ナ具７０のうち、図７に向かって右側に位置する２つの内枠コ−ナ具７０には、その各一方の翼片７１において、一対の開閉用アーム９０の長手方向の一端部が回動軸９１によってそれぞれ回動可能に組み付けられている。これら一対の開閉用アーム９０については、後に詳細に説明する。
【００２８】
図５と図７に示すように、前記内枠体５１の内下壁部５３がなす内枠開口部には、その開口部を閉じるようにして内蓋板８０が嵌込まれ、その内蓋板８０は、所要数の蓋板支持部材８１によって支持されている。
図５に示すように、蓋板支持部材８１は、内枠体５１の内上壁部５５の内面に沿って取り付けられる取付部８２と、その取付部８２下端から内側に向けて張り出された支持部８４とを備えて断面略Ｌ字状に形成されている。そして、蓋板支持部材８１の支持部８４の下面には内蓋板８０がビス、釘、蓋押え具等の止着手段（図示しない）によって固定されている。
また、この実施の形態１において、厚さ寸法が各種異なる様々な内蓋板８０に対応できるように、内枠体５１の内上壁部５５の内面に沿って蓋板支持部材８１が上下方向に移動調整可能に取り付けられるようになっている。
【００２９】
すなわち、図５と図６に示すように、内枠体５１の内上壁部５５には、上下方向の長孔６１が形成されるとともに、その内上壁部５５の内側には、複数の係止突起８８が突設されている。
これに対し、蓋板支持部材８１の取付部８２の所定位置にはネジ孔が形成されるとともに、取付部８２の外側面の上下両端部には、内枠体５１の内上壁部５５の複数の係止突起８８に選択的に掛け止めされて係合する係合突起８３がそれぞれ突設されている。
そして、内枠体５１の内上壁部５５の複数の係止突起８８のうち、所望する係止突起８８に対し、蓋板支持部材８１の係合突起８３を掛け止めして係合させる。この状態のもとで、内枠体５１の内上壁部５５の外側からその長孔６１を通して蓋板支持部材８１のネジ孔にビス８５をねじ込むことによって、内枠体５１の内上壁部５５の内側に対し、蓋板支持部材８１が、所望とする内蓋板８０に対応する高さ位置に取り付けられようになっている。
【００３０】
図３に示すように、前記外枠体３１に対し内枠体５１を閉じ状態に保持するため閉止手段をなす下止め部材１１０と施錠部材１２０とは、内枠体５１の縦横の各内枠材５２のうち、一方で相対する両内枠材５２にそれぞれ装着されている。
この実施の形態１において、内枠体５１の縦横の各内枠材５２のうちの一方（図３に向かって右側）の内枠材５２の内上壁部５５の外側上部に下止め部材１１０が取り付けられている。この下止め部材１１０は、内枠材５２の内上壁部５５の外側にビス１１２によって取り付けられた基板部１１１と、その基板部１１１の上端から内上壁部５５の上縁を僅かに越えて略水平状に延出された係合片１１３と、その係合片１１３の先端から上向き傾斜状に延出された滑走片１１４とを一体に備えている。
【００３１】
また、下止め部材１１０が取り付けられる内枠材５２と対向する（図３に向かって左側に位置する）内枠材５２には、その内上壁部５５の内側において施錠部材１２０が錠ブラッケト１２５によって回動操作可能に組み付けられている。
図３と図７に示すように、施錠部材１２０は、上下方向の軸体１２１と、施錠板１３０とを一体状に備えている。そして、施錠部材１２０は、その軸体１２１において、平断面がほぼΩ状をなす錠ブラケット１２５の軸受け部に回動可能に嵌挿されて組み付けられている。
【００３２】
施錠部材１２０の施錠板１３０は、錠ブラッケト１２５の軸受け部の上方に位置して、かつ軸体１２１の上端にかしめ部１２２によって略水平状に固定されている。この施錠板１３０の先端部は内上壁部５５に貫設された貫通孔１４４を通して外枠体３１の外上壁部３５に貫設された閉止孔１４５に挿脱可能に差し込まれる位置まで延出されている。そして、施錠板１３０は、軸体１２１と一体状をなして回動操作されることで、外上壁部３５の閉止孔１４５に差し込まれて係合する施錠位置と、その施錠位置から略９０度回動されかつ外上壁部３５の閉止孔１４５から抜け出て外れる解錠位置とに配置切り換えされるようになっている。
また、施錠部材１２０の軸体１２１の下端部は内蓋板８０を貫通して内蓋板８０の下面から若干突出している。この軸体１２１の下端面には、その軸体１２１と共に施錠板１３０を回動操作するためのコイン等が差し込まれる回動溝１２３が凹設されている。
また、軸体１２１の下端部外周には内蓋板８０の貫通孔の下端開口部を塞ぐ塞ぎキャップ１４０が装着されている。
【００３３】
前記したように枠組み構成される外枠体３１と内枠体５１において、図４に示すように、外枠体３１の外下壁部３３から内側に向けて張り出された上段差部３４の張り出し寸法に対し、内枠体５１の内下壁部５３から内側に向けて張り出された中段差部５４の張り出し寸法が適宜に大きく設定されている。これによって、外枠体３１の外上壁部３５と内枠体５１の内上壁部５５との間に構成された隙間内において一方向に長い一対の開閉用アーム９０がほぼ水平状態をなして配設されるようになっている。
この実施の形態１において、図１、図２、及び図７に示すように、内枠体５１の４つの内枠コ−ナ具７０のうち、図７に向かって右側に位置する両内枠コ−ナ具７０の各一方の翼片７１において、一対の開閉用アーム９０の長手方向の一端部が回動軸９１によってそれぞれ回動可能に組み付けられている（図１０参照）。
また、一対の開閉用アーム９０の長手方向の他端部には、外枠体３１の外上壁部３５の内側に設けられた開口部を有する受止め部に挿脱可能に差し込まれる連結軸１００が組み付けられている。
【００３４】
すなわち、図１と図２に示すように、一対の開閉用アーム９０の長手方向の一端部に設けられる回動軸９１は、頭部９２と段付き軸部９３とを備えている。
一方、内枠コ−ナ具７０の一方の翼片７１には、外側に突出する軸用座部が形成されている。この座部の中心部には、回動軸９１の段付き軸部９３の大径軸部が嵌挿される軸孔が貫設されている。
これに対し、開閉用アーム９０の一端部寄り部分には、外側が凹みかつ内側に突出する座部が形成され、その座部の中心部には、回動軸９１の段付き軸部９３の小径軸部が嵌挿される軸孔が貫設されている。そして、内枠コ−ナ具７０の一方の翼片７１の座部の内側からその軸孔に回動軸９１の段付き軸部９３の大径軸部が嵌挿され、その段付き軸部９３の小径軸部が開閉用アーム９０の座部の軸孔に貫挿された状態において、小径軸部の先端部にかしめによってかしめ部９６が設けられることで、内枠コ−ナ具７０の一方の翼片７１の座部と、開閉用アーム９０の座部とが相互に当接した状態で、開閉用アーム９０が組み付けられている。これによって、開閉用アーム９０のほとんどの部分が、内枠材５２の内上壁部５５の外側面に接触しないように保たれ、開閉用アーム９０の回動が円滑かつ軽快になされるようになっている。
【００３５】
また、図１と図２に示すように、一対の開閉用アーム９０の長手方向の他端部寄り部分に設けられた連結軸１００は、頭部１０１と、段付き軸部１０２とを備えている。そして、開閉用アーム９０の他端部寄り部分に貫設された軸孔に、連結軸１００の段付き軸部１０２の小径軸部が挿通され、その段付き軸部１０２の小径軸部の先端部にかしめによってかしめ部１０３が設けられることで、開閉用アーム９０に連結軸１００が取り付けられている。
一方、外枠体３１の外上壁部３５の内側には、内枠体５１のコーナ部から離反する側において、開閉用アーム９０に連結軸１００が挿脱可能に差し込まれる開口部を有する受止め部が設けられている。
【００３６】
この実施の形態１において、図１と図２に示すように、外枠体３１の外上壁部３５の内側の所定位置には、嵌込み溝３７の上下の開口突縁３９の間において受止め部材１５０が取り付けられている。この受止め部材１５０は、外上壁部３５の内側面に沿ってビス１６０によって固定される基部１５１と、その基部１５１から内側に向けて直角状に折り曲げられその折り曲げ部の先端から外上壁部３５の内側面に沿って延出されかつ同外上壁部３５の内側面との間に連結軸１００の頭部１０１が差し込み可能な隙間を隔てる延出部１５２とを備えて平断面ほぼＺ字をなしている。
そして、受止め部材１５０の延出部１５２には、開閉用アーム９０の連結軸１００が挿脱可能に差し込まれる受止め部を構成する切り欠き状の受止め溝１５５が形成されている。
この受止め溝１５５の一端側（内枠体５１のコーナ部から離反する側）には、開閉用アーム９０の連結軸１００が挿脱される開口部が形成されている。
【００３７】
また、図１と図２に示すように、受止め部材１５０の受止め溝１５５は、外枠体３１の下端部開口縁と、開閉用アーム９０の連結軸１００の中心とを結ぶ線のほぼ延長線上において傾斜状をなして設けられている。
また、図１４において２点鎖線に示すように、外枠体３１に対し内枠体５１が閉止された状態において、開閉用アーム９０の回動軸９１の中心と外枠体３１の下端部開口縁との距離をＬ１とし、開閉用アーム９０の連結軸１００と回動軸９１との中心間距離をＬ２とし、外枠体３１に対し内枠体５１を開放する際に受止め溝１５５に沿って移動する連結軸１００の中心と外枠体３１の下端部開口縁までの距離をＬとしたときに、「  Ｌ≧Ｌ１＋Ｌ２  」の関係が確保できるように、受止め溝１５５の溝長さが適宜に設定されている。
【００３８】
また、図１４において２点鎖線で示すように、外枠体３１に対し内枠体５１が開閉用アーム９０によってほぼ垂下状態をなして開放できるように、開閉用アーム９０の連結軸１００と回動軸９１との中心間距離をＬ２とし、開閉用アーム９０の回動軸９１の中心から内枠体５１の張出覆い縁５８の先端までの距離をＡとし、開閉用アーム９０の連結軸１００の中心から外枠体３１の外下壁部３３の係合縁３８までの距離をＢとしたときに、「  Ｌ２≧Ａ＋Ｂ  」の関係が確保できるように、開閉用アーム９０のアーム長さが適宜に設定されている。
【００３９】
また、外枠体３１の外上壁部３５には、受止め部材１５０の受止め溝１５５の開口部から開閉用アーム９０の連結軸１００が、その頭部１０１において抜け出ることを防止するための弾性体よりなる抜止部材１７０が設けられている。
この実施の形態１において、図１と図２に示すように、抜止部材１７０は、板ばね材よりなり、かつ弾性的に撓むように、その一端部において外枠体３１の外上壁部３５の外側面に対し、受止め部材１５０を締め付けているビス１６０によって片持ち状に共締めされている。
抜止部材１７０の自由端部には、外枠体３１の外上壁部３５に貫設された孔を通しかつ受止め部材１５０の受止め溝１５５の開口部を閉じるようにして同外上壁部３５の内側に突出する断面半円弧状に抜止部１７１が形成されている。
そして、開閉用アーム９０の連結軸１００がその頭部１０１において抜止部材１７０の抜止部１７１に当接して係合することによって、連結軸１００の不測の抜け出しが防止されるようになっている。
さらに、抜止部材１７０の抜止部１７１による係合力に抗して開閉用アーム９０の連結軸１００が押し出されることによって、受止め部材１５０の受止め溝１５５の開口部を開くようにして抜止部材１７０が弾性的に撓み、これによって連結軸１００の抜け出しを許容する構成にしてある。
【００４０】
また、この実施の形態１において、図１に示すように、内枠体５１の中段差部５４の上面には、外枠体３１の上段差部３４と内枠体５１の中段差部５４との間の隙間を塞ぐ気密性のシール部材１８０が貼り付けられている。
さらに、内枠体５１の張出覆い縁５８の上面には、外枠体３１の係合縁３８と、内枠体５１の張出覆い縁５８との間の隙間を塞ぐ気密性のシール部材１８１が設けられている。
また、各シール部材１８０、１８１は、発泡ポリエチレン、発泡ウレタン等の気密性を有する合成樹脂、ゴム等よりそれぞれ形成されている。
【００４１】
この実施の形態１の天井点検口３０は上述したように構成される。したがって、外枠体３１に対し閉じ状態に保持された内枠体５１を開く場合、まず、図１２に示すように、施錠位置にある施錠部材１２０が所定方向にほぼ９０度回動操作されて解錠位置に配置切換される。この状態において、外枠体３１に対し内枠体５１が、その下止め部材１１０の係合片１１３が外枠体３１の上縁から外れる方向（図１２に向かって左側）において僅かではあるが移動される。
その後、図１３に示すように、内枠体５１は、その自重に基づいて、開閉用アーム９０の回動軸９１を支点として下向き（図１３に向かって反時計回り方向）に回動しながら、その下止め部材１１０の滑走片１１４が外枠体３１の上縁に接して斜め下方に滑走する。この際、開閉用アーム９０は、その連結軸１００が受止め溝１５５に沿って若干移動しながら、その連結軸１００を支点として下向き（図１３に向かって時計回り方向）に回動する。
【００４２】
引き続いて、図１４に示すように、下止め部材１１０の滑走片１１４が外枠体３１の外上壁部３５の上縁を通過した後、図１４の２点鎖線で示すように、内枠体５１は、その自重に基づいて、開閉用アーム９０の回動軸９１を支点として回動するとともに、開閉用アーム９０は、その連結軸１００を支点としてほぼ垂下状をなす位置まで回動し、これによって外枠体３１に対し内枠体５１がほぼ垂下状をなして開放される。
また、前記とは逆の手順で操作されることで、外枠体３１に対し内枠体５１が閉じられる。
【００４３】
外枠体３１と内枠体５１において、外枠体３１の外下壁部３３から内側に向けて張り出された上段差部３４の張り出し寸法に対し、内枠体５１の内下壁部５３から内側に向けて張り出された中段差部５４の張り出し寸法が適宜に大きく設定されている。これによって、外枠体３１の外下壁部３３と内枠体５１の内下壁部５３との間の隙間は可及的に小さく設定しながら、外枠体３１の外上壁部３５と内枠体５１の内上壁部５５との間には、一対の開閉用アーム９０を配設するための隙間を容易に確保することができる（図４参照）。
さらに、外下壁部３３と内下壁部５３との間の隙間を小さくした分だけ外枠体３１に対する内枠体５１の水平方向のガタツキを軽減することができる。
【００４４】
また、外枠体３１は、その外枠部をなす縦横の各外枠材３２が、外下壁部３３、上段差部３４、外上壁部３５及び係合縁３８を備えて断面ほぼＷ字状をなし、変形し難くかつ強固となる。また、内枠体５１においても、その内枠部をなす縦横の各内枠材５２が、内下壁部５３、中段差部５４、内上壁部５５及び張出覆い縁５８を備えて断面ほぼＷ字状をなし、変形し難くかつ強固となる。このように、外枠体３１及び内枠体５１の強度を高めて耐久性の向上を図ることができる。
【００４５】
また、この実施の形態１において、図１０に示すように、内枠コ−ナ具７０の一方の翼片７１に対し、回動軸９１によって開閉用アーム９０の一端部が回動可能に装着され、同開閉用アーム９０の他端部の連結軸１００が外枠体３１の受止め溝１５５に挿入されて組み付けられる。このため、外枠体３１の外上壁部３５と内枠体５１の内上壁部５５との間の隙間内に対する、一対の開閉用アーム９０の組付性の向上を図ることができる。
また、開閉用アーム９０の連結軸１００に対する受止め部としての受止め溝１５５が受止め部材１５０に形成され、その受止め部材１５０が外枠体３１の外上壁部３５の内側に取り付けられる構成にしてある。このため、外上壁部３５に直接的に受止め溝１５５を形成する場合と異なり、外上壁部３５の強度が低下する不具合を防止することができるとともに、受止め溝１５５の加工も容易となる。
【００４６】
また、外枠体３１に対し、内枠体５１が開閉動作される際、外枠体３１の受止め部材１５０の受止め溝１５５の開口部は、抜止部材１７０によって弾性的に閉じられている。したがって、外枠体３１に対する内枠体５１の開閉動作時に開閉用アーム９０の連結軸１００が受止め溝１５５の開口部から不測に抜け出ることを防止することができる。このため、開閉用アーム９０の連結軸１００が受止め溝１５５から不測に抜け出ることが原因となって、外枠体３１に対し内枠体５１が離脱・落下する不具合を防止することができる。
【００４７】
また、抜止部材１７０を弾性変形させながら、開閉用アーム９０の連結軸１００を受止め溝１５５の開口部から離脱させることができる。このため、外枠体３１に対する内枠体５１の脱着操作が容易になされる。さらに、外枠体３１に対し内枠体５１を取り外すことで、天井板１の内部の配線・配管等の保守点検を容易に行うことができる。
また、外枠体３１に対し内枠体５１が閉じられた状態において、内枠体５１の張出覆い縁５８によって、外枠体３１の係合縁３８が覆われて隠蔽されるため、外観意匠が向上される。
【００４８】
また、この実施の形態１において、図１に示すように、内枠体５１の中段差部５４の上面には、外枠体３１の上段差部３４と内枠体５１の中段差部５４との間の隙間を塞ぐ気密性のシール部材１８０が貼り付けられている。さらに、内枠体５１の張出覆い縁５８の上面には、外枠体３１の係合縁３８と、内枠体５１の張出覆い縁５８との間の隙間を塞ぐ気密性のシール部材１８１が設けられている。
このため、前記各シール部材１８０、１８１によって外枠体３１と内枠体５１とを２重にシールして気密を保つことができる。
【００４９】
また、この実施の形態１において、外枠体３１に対し内枠体５１が閉止された状態において、開閉用アーム９０の回動軸９１の中心と外枠体３１の下端部開口縁との距離をＬ１とし、開閉用アーム９０の連結軸１００と回動軸９１との中心間距離をＬ２とし、外枠体３１に対し内枠体５１を開放する際に受止め溝１５５に沿って移動する連結軸１００の中心と外枠体３１の下端部開口縁までの距離をＬとしたときに、「  Ｌ≧Ｌ１＋Ｌ２  」の関係が確保できるように、受止め溝１５５の溝長さが適宜に設定されている。このため、外枠体３１に対し内枠体５１が開放される際、開閉用アーム９０の連結軸１００が受止め溝１５５に沿って不足なく移動することができ、外枠体３１に対し内枠体５１が円滑に開放される（図１４参照）。
【００５０】
また、この実施の形態１において、開閉用アーム９０の連結軸１００と回動軸９１との中心間距離をＬ２とし、開閉用アーム９０の回動軸９１の中心から内枠体５１の張出覆い縁５８の先端までの距離をＡとし、開閉用アーム９０の連結軸１００の中心から外枠体３１の外下壁部３３の係合縁３８までの距離をＢとしたときに、「  Ｌ２≧Ａ＋Ｂ  」の関係が確保できるように、開閉用アーム９０のアーム長さが適宜に設定されている。このため、図１４において２点鎖線で示すように、外枠体３１に対し内枠体５１が開閉用アーム９０を介してほぼ垂下状態をなす開放状態まで良好に開放することができる。
【００５１】
なお、この発明は前記実施の形態１に限定するものではない。例えば、図１５〜図２６に示す各実施の形態２〜８のように変更してもよい。
（実施の形態２）
図１５と図１６に示す実施の形態２においては、外枠体３１の外上壁部３５の内側に形成される外枠コ−ナ具４０に対する嵌込み溝３７の開口幅を適宜に狭くし、その嵌込み溝３７の一部を開閉用アーム９０の連結軸１００に対する受止め溝１５５として機能するように構成したものである。
また、嵌込み溝３７の所定位置、言い換えると、受止め溝１５５の一端部には連結軸１００の頭部１０１に当接してこれ以上の連結軸１００の移動を阻止するストッパ部１８６が設けられている。このストッパ部１８６は、外枠体３１の外上壁部３５の一部がカシメ等によって内側（嵌込み溝３７側）に向けて突出されることによって容易に設けることができる。
さらに、嵌込み溝３７の所定位置、言い換えると、受止め溝１５５の他端部側において、その嵌込み溝３７の上下の両開口突縁３９のうち、上側の開口突縁３９の一部を切除して連結軸１００を挿脱可能な開口部１８５を形成している。その他の構成は前記実施の形態１と同様にして構成されるため、同一構成部分に対し同一符号を付記してその説明は省略する。
【００５２】
（実施の形態３）
また、図１７〜図１９に示す実施の形態３においては、内枠体５１の内枠コ−ナ具７０の一方の翼片７１に回動軸９１によって装着された開閉用アーム９０の他端近傍部を上方に向けて傾斜状に屈曲し、その先端部に連結軸１００を取り付けている。
一方、外枠体３１の外上壁部３５の内側に取り付けられた受止め部材１５０には、開閉用アーム９０の連結軸１００を挿脱可能に受け止める開口部を上端に有する受止め溝１５５をほぼＬ字状に形成したものである。但しこの場合、受止め溝１５５の上端開口部に対し開閉用アーム９０の連結軸１００を挿脱する際、外上壁部３５の嵌込み溝３７の上側の開口突縁３９が妨害物とならないようにその上側の開口突縁３９の一部を切除１８７している。その他の構成は前記実施の形態１と同様にして構成されるため、同一構成部分に対し同一符号を付記してその説明は省略する。
【００５３】
（実施の形態４）
また、図２０と図２１に示す実施の形態４においては、外枠体３１の外上壁部３５の外側面に外枠コ−ナ具４０に対する嵌込み溝３７を形成したものである。その他の構成は前記実施の形態３と同様にして構成されるため、同一構成部分に対し同一符号を付記してその説明は省略する。
【００５４】
（実施の形態５）
また、図２２と図２３に示す実施の形態５においては、外枠体３１の外上壁部３５の内側に取り付けられた受止め部材１５０に対し、開閉用アーム９０の連結軸１００を挿脱可能に受け止める受止め溝１５５を実施の形態１とは逆方向の内枠コ−ナ具７０に接近する方向に上向き傾斜状に形成するとともに、その受止め溝１５５の先端を受止め部材１５０上端に開口したものである。その他の構成は前記実施の形態１と同様にして構成されるため、同一構成部分に対し同一符号を付記してその説明は省略する。
【００５５】
（実施の形態６）
また、図２４に示す実施の形態６においては、内枠体５１の内下壁部５３の外側面に第２の内枠コ−ナ具７０ａに対応する嵌込み溝５７ａを形成し、内枠体５１を強固に枠組み構成したものである。その他の構成は前記実施の形態１と同様にして構成されるため、同一構成部分に対し同一符号を付記してその説明は省略する。
【００５６】
（実施の形態７）
また、図２５に示す実施の形態７においては、内枠体５１の内下壁部５３の内側面に第２の内枠コ−ナ具７０ｂに対応する嵌込み溝５７ｂを形成し、内枠体５１を強固に枠組み構成したものである。その他の構成は前記実施の形態１と同様にして構成されるため、同一構成部分に対し同一符号を付記してその説明は省略する。
【００５７】
（実施の形態８）
また、図２６に示す実施の形態８においては、天井板１裏側の所定高さ位置に断面コの字状の取付部材６を配設する一方、外枠体３１の外上壁部３５に対し上下方向に長い吊下部材１１の下端部をネジ１８によって固定している。そして、吊下部材１１の上部に締付部材２４をボルト２８とナット２９によって上下方向に位置調整可能に締め付けことによって取付部材６の上片６ａに対し外枠体３１を取り付けたものである。その他の構成は前記実施の形態１又は２と同様にして構成されるため、同一構成部分に対し同一符号を付記してその説明は省略する。
【００５８】
（実施の形態９）
また、図２７〜図２９に示す実施の形態９においては、内枠体５１を構成する縦横の各内枠材５２のうち、隣接する内枠材５２の内上壁部５５のコーナ部近傍において、平面形状ほぼＬ字状のコーナ係合片５５ａを外側に向けてそれぞれ切り起し状に形成している。
一方、内枠コ−ナ具７０の直角状をなす各翼片７１の所定位置には、その下端から上端部近傍に向けて各コーナ係合片５５ａに対応するスリット状の係合溝７１ａをそれぞれ切り欠き形成している。そして、隣接する内枠材５２の内上壁部５５の各コーナ係合片５５ａの上方から内枠コ−ナ具７０の各翼片７１を、その係合溝７１ａにおいて差し込んだ状態において、各コーナ係合片５５ａの先端部を内枠コ−ナ具７０の各翼片７１に向けてかしめることによって、固定し、内枠体５１を矩形に枠組構成したものである。
また、内枠体５１の内下壁部５３の外側面には、第２の内枠コ−ナ具７０ａに対応する嵌込み溝５７ａを形成し、内枠体５１を強固に枠組み構成している。
また、内枠体５１を構成する縦横の各内枠材５２のうち、一方で対向する内枠材５２の内上壁部５５のコーナ部寄り外側面に座部５５ｂを突設し、その座部５５ｂに対し、開閉用アーム９０の長手方向の一端部を回動軸９１によって回動可能に装着している。その他の構成は前記実施の形態１又は２と同様にして構成されるため、同一構成部分に対し同一符号を付記してその説明は省略する。
【００５９】
（実施の形態１０）
また、図３０に示す実施の形態１０においては、内枠体５１を構成する縦横の各内枠材５２のうち、所要とする内枠材５２の内上壁部５５の外側において施錠部材１２０を錠ブラッケト１２５によって回動操作可能に組み付けたものである。
施錠部材１２０の施錠板１３０は、錠ブラッケト１２５の軸受け部の上方に位置して、かつ外枠体３１の外上壁部３５の上縁に係脱可能に係合して、外枠体３１に対し内枠体５１を施錠する。
また、施錠部材１２０の軸体１２１の下端部は、内枠体５１の中段差部５４及び内蓋板８０を貫通して内蓋板８０の下面から若干突出している。この軸体１２１の下端面には、その軸体１２１と共に施錠板１３０を回動操作するためのコイン等が差し込まれる回動溝１２３が凹設されている。その他の構成は前記実施の形態１と同様にして構成されるため、同一構成部分に対し同一符号を付記してその説明は省略する。
【００６０】
【発明の効果】
以上述べたように、この発明によれば、外枠体に対する内枠体の水平方向のガタツキを防止することができるとともに、外枠体と内枠体との間に開閉用アームを配設するためのスペースを容易に確保することができる。しかも、外枠体及び内枠体の各枠部の強度を高めて耐久性の向上を図ることができる。
【図面の簡単な説明】
【図１】この発明の実施の形態１の天井点検口の外枠体、内枠体及び開閉用アームの関係を示す図７のＩ−Ｉ線に基づく断面図である。
【図２】同じく外枠体、内枠体及び開閉用アームの関係を示す図１のＩＩ−ＩＩ線に基づく断面図である。
【図３】同じく外枠体、内枠体、下止め部材及び施錠部材の関係を示す図７のＩＩＩ−ＩＩＩ線に基づく断面図である。
【図４】同じく外枠体、内枠体及び開閉用アームの関係を示す図７のＩＶ−ＩＶ線に基づく断面図である。
【図５】同じく外枠体の吊下げ手段並びに内枠体の蓋板支持部材を示す図７のＶ−Ｖ線に基づく断面図である。
【図６】同じく内枠体に対し蓋板支持部材によって異なる内蓋板を装着した実施態様を示す断面図である。
【図７】同じく天井点検口全体を簡略化して示す平面図である。
【図８】同じく外枠コ−ナ具を示す斜視図である。
【図９】同じく縦横の各外枠材が外枠コ−ナ具によって枠組みされた外枠体のコーナ部を示す説明図である。
【図１０】同じく内枠コ−ナ具を示す斜視図である。
【図１１】同じく縦横の各内枠材が内枠コ−ナ具によって枠組みされて内枠体のコーナ部を示す説明図である。
【図１２】同じく外枠体に対し内枠体を開放するに先だって施錠部材を解錠した状態を示す断面図である。
【図１３】同じく外枠体の外上壁部の上縁に沿って下止め部材を滑走しながら内枠体を所定の開度まで開いた状態を示す説明図である。
【図１４】同じく外枠体の外上壁部を下止め部材が通過した後の内枠体を開放状態を示す断面図である。
【図１５】この発明の実施の形態２の外枠体、内枠体及び開閉用アームの関係を示す断面図である。
【図１６】同じく図１５のＸＶＩ−ＸＶＩ線に基づく断面図である。
【図１７】この発明の実施の形態３の外枠体、内枠体及び開閉用アームの関係を示す断面図である。
【図１８】同じく図１７のＸＶＩＩＩ−ＸＶＩＩＩ線に基づく断面図である。
【図１９】同じく図１７のＸＩＸ−ＸＩＸ線に基づく断面図である。
【図２０】この発明の実施の形態４の外枠体、内枠体及び開閉用アームの関係を示す断面図である。
【図２１】同じく図２０のＸＸＩ−ＸＸＩ線に基づく断面図である。
【図２２】この発明の実施の形態５の外枠体、内枠体及び開閉用アームの関係を示す断面図である。
【図２３】同じく図２２のＸＸＩＩＩ−ＸＸＩＩＩ線に基づく断面図である。
【図２４】この発明の実施の形態６を示す断面図である。
【図２５】この発明の実施の形態７を示す断面図である。
【図２６】この発明の実施の形態８を示す断面図である。
【図２７】この発明の実施の形態９の内枠体のコーナ部を示す斜視図である。
【図２８】同じく外枠体を破断して内枠体を側面から表した部分断面図である。
【図２９】同じく図２８のＸＸＩＸ−ＸＸＩＸ線に基づく断面図である。
【図３０】この発明の実施の形態１０を示す断面図である。
【符号の説明】
１  天井板
２  開口部
３０  天井点検口
３１  外枠体
３２  外枠材（外枠部）
３３  外下壁部
３４  上段差部
３５  外上壁部
３７  嵌込み溝
３８  係合縁
４０  外枠コ−ナ具
４１  翼片
５１  内枠体
５２  内枠材（内枠部）
５３  内下壁部
５４  中段差部
５５  内上壁部
５７  嵌込み溝
５８  張出覆い縁
７０  内枠コ−ナ具
７１  翼片
９０  開閉用アーム
９１  回動軸
１００  連結軸
１１０  下止め部材（閉止手段）
１２０  施錠部材（閉止手段）
【図１】
0003698972.tif 000002
【図２】
0003698972.tif 000003
【図３】
0003698972.tif 000004
【図４】
0003698972.tif 000005
【図５】
0003698972.tif 000006
【図６】
0003698972.tif 000007
【図７】
0003698972.tif 000008
【図８】
0003698972.tif 000009
【図９】
0003698972.tif 000010
【図１０】
0003698972.tif 000011
【図１１】
0003698972.tif 000012
【図１２】
0003698972.tif 000013
【図１３】
0003698972.tif 000014
【図１４】
0003698972.tif 000015
【図１５】
0003698972.tif 000016
【図１６】
0003698972.tif 000017
【図１７】
0003698972.tif 000018
【図１８】
0003698972.tif 000019
【図１９】
0003698972.tif 000020
【図２０】
0003698972.tif 000021
【図２１】
0003698972.tif 000022
【図２２】
0003698972.tif 000023
【図２３】
0003698972.tif 000024
【図２４】
0003698972.tif 000025
【図２５】
0003698972.tif 000026
【図２６】
0003698972.tif 000027
【図２７】
0003698972.tif 000028
【図２８】
0003698972.tif 000029
【図２９】
0003698972.tif 000030
【図３０】
0003698972.tif 000031